(57)【要約】      （修正有）【課題】  店頭における吊り下げ陳列の際に変形することがなく形態上安定し、また、板面上比較的自由な印刷を可能にさせることにより商品の見栄えを良くし、効果的なディスプレイを駆使することにより商品の宣伝効果を高めることができる左官鏝の陳列用包装台紙を提供する。【解決手段】  表面板１ａと裏面板１ｂとを２つ折りして重ね、長方形状の扁平体を形成し、表面板１ａの上部寄りに、板面を横切って鏝板先端部を露出させる切れ目、表面板の両側よりに長手方向に沿って鏝板の両側部を露出させる左右対称の切れ目と、表面板の下端辺のやや両側寄りから鏝板の下端両端部を露出させる左右対称の切れ目を設け、表面板の中央下部寄りに鏝の握り柄が出入りするとともに背金全体をすっぽり包み込んで露出させる開口部を設け、表面板の中央上端部から裏面板を貫通させ棒体を挿入しうる孔を有するものである。【選択図】図１
0003114562.tif 000002
【実用新案登録請求の範囲】
【請求項１】
適宜な硬さと厚みを有する板紙からなり、表面板と裏面板とを２つ折りして重ね、長方形状の扁平体を形成し、表面板の上部寄りに、板面を横切って鏝板先端部を露出させる切れ目、表面板の両側よりに長手方向に沿って鏝板の両側部を露出させる左右対称の切れ目と、表面板の下端辺のやや両側寄りから鏝板の下端両端部を露出させる左右対称の切れ目を設け、表面板の中央下部寄りに鏝の握り柄が出入りするとともに背金全体をすっぽり包み込んで露出させる開口部を設け、表面板の中央上端部から裏面板を貫通させ棒体を挿入しうる孔を有することを特徴とする長方形状の左官鏝の陳列用包装台紙。
【考案の詳細な説明】
【技術分野】
【０００１】  本考案は左官鏝を包装し店頭に陳列して販売するのに使用するための陳列用包装台紙に関するものである。
【背景技術】
【０００２】  従来の左官鏝の店頭での陳列方法としては、適度に厚みのある長方形状の扁平袋体の透明なビニールシートよりなり、表面板の下端部から板面を横切って鏝板を出し入れする横切れ目を設けるとともに、該横切れ目に接して表面板の中央ラインに、袋体の中央付近まで延びる中央縦切れ目を設け、横切れ目から鏝板を先端部より挿入して袋体内に入れて途中から鏝板上に立設した柱脚基部を中央縦切れ目を拡げて通し、鏝板の尾端が横切れ目を少し通り過ごした後、鏝板を後退させて尾端を切れ目から袋体内に引き入れて係止させ、袋体を以って鏝板を包み込む形にして左官鏝を包装するものが実用されている。
ところが、このような透明なビニールシート製の包装陳列具で包装されて店頭に陳列された左官鏝は、顧客が左官鏝を選択する上で重要視される鏝板先端部の形状や鏝板上に接着され背金の形状等は透かして見ることができるが、鏝板を包装するビニールシート製の袋体面には、自由に印刷をすることができない。
このために、左官鏝の陳列販売に必要とされる鏝の製造元やサイズ、また、材質や特徴表示等は、一般に、別途印刷されたシール類を作成してこれを袋体面の適所に貼着して表示する方法が採られている。
しかし、このような透明なビニールシート製の袋体と、この袋体面に貼着されるシール類とを組み合わせた従来の左官鏝の包装陳列具からすれば、袋体自体は、材質的に柔軟性があって変形し易く、鏝板を包み込んだ状態での包装形態が安定せず、例えば、店頭において吊り棚等に対して吊り下げて陳列するような時は、湿度、温度等の影響もあって袋体が局部的に伸展するような変形を生じ易く、吊り下げられた商品の整列性を乱して見栄えを悪くするばかりでなく、商品イメージにも悪影響を与え顧客は購買意欲を注がれるようなこともある。
また、袋体面に貼着されるシールにしても、特に、袋体に対する位置的な制約がなく貼着されるようになるので、この面からも、店頭に陳列された商品は、見た目に包装陳列具が不揃いで安っぽさを感じさせてディスプレイ機能を低下させることは否めない。
【考案の開示】
【考案が解決しようとする課題】
【０００３】  従来の店頭における吊り下げ陳列の際に局部的な袋体の変形による商品の不整列性が商品の見栄えを低下させる。さらに包装板面を有効に活用することができないので商品の宣伝効果がほとんど期待できない。
【課題を解決するための手段】
【０００４】  本考案に係る左官鏝の陳列用包装台紙は、適宜な硬さと厚みを有する板紙からなり、表面板と裏面板とを２つ折りして重ね、長方形状の扁平体を形成し、表面板の上部寄りに、板面を横切って鏝板先端部を露出させる切れ目、表面板の両側よりに長手方向に沿って鏝板の両側部を露出させる左右対称の切れ目と、表面板の下端辺のやや両側寄りから鏝板の下端両端部を露出させる左右対称の切れ目を設け、表面板の中央下部寄りに鏝の握り柄が出入りするとともに背金全体をすっぽり包み込んで露出させる開口部を設け、表面板の中央上端部から裏面板を貫通させ棒体を挿入しうる孔を有するものである。
【考案の効果】
【０００５】  本考案の左官鏝の陳列用包装台紙は請求項１の構成とすることにより、鏝板包装後においても形態的に安定するので、長期間の吊り下げ陳列でも形状的に安定した陳列を実現する。さらに、板紙の開口部が背金全体を包み込むことによって商品が固定されぐらつきを抑えることができる。また、板紙の板面には、比較的自由に印刷することが可能なので、商品の見栄えを良くし、効果的なディスプレイを駆使することにより商品の宣伝効果を高めることができる。
【考案を実施するための最良の形態】
【０００６】  以下、図面を参照しながら、本発明の実施例にかかる包装陳列具について具体的に説明する。
【実施例】
【０００７】  本考案の実施例は下記の通りである。図２は本考案に係る包装用台紙の展開図、図２に示すように、包装用台紙は、展開状態において、細長い表面板１ａの下端辺に折線２を介して表面板１ａと同じ大きさの裏面板１ｂを連設している。
表面板１ａと裏面板１ｂを２つ折りして重ね、ホッチキスで上端部６ａと上部両側部６ｂを固定して長方形状の扁平体を形成する。
表面板１ａには、上部寄りの板面を横切る方向に鏝板７の先端部７ａを表面板１ａ上に露出させる上部横切れ目３ａを設けている。
また、表面板１ａの中央下部寄りの両側寄りに、長手方向に鏝板７の左右側端部７ａを露出させる左右対称の縦切れ目３ｂを設けるとともに、表面板１ａの下端辺のやや両側寄りから鏝板７の下端両端部７ｂを露出させる左右対称の切れ目３ｃを設けている。
なお、表面板１ａ上に設ける切れ目は曲線や直線に限定することなく、他のいかなる形状とすることも任意である。
また、表面板１ａの中央下部寄りに鏝の握り柄１０が出入りするとともに背金８全体をすっぽり包み込んで露出させる開口部４を設け、さらに、表面板１ａの中央上端部から裏面板１ｂを貫通させ棒体を挿入しうる吊り具挿入孔５ａ、５ｂを設けている。
６ａ、６ｂは表面板１ａと裏面板１ｂとを固定するホッチキス針である。なお、実用例におけるホッチキス針の個数と位置はあくまでも一例であり、他の構成とすることを妨げない。
【図面の簡単な説明】
【０００８】
【図１】本考案の実施例を示す斜視図である。
【図２】平面図（展開図）である。
【図３】正面図である。
【図４】Ａ−Ａ線断面図である。
【図５】表面板と裏面板をホッチキスで固定する前の斜視図である。
【符号の説明】
【０００９】  １  台紙
１ａ  表面板
１ｂ  裏面版
２  折り曲げ線
３  切れ目
３ａ  上部横切れ目
３ｂ  側部縦切れ目
３ｃ  下部切れ目
４  開口部
５  吊り具挿入孔
５ａ  表面板吊り具挿入孔
５ｂ  裏面板吊り具挿入孔
６  ホッチキス針
６ａ  上部ホッチキス針
６ｂ  側部ホッチキス針
７  鏝板
７ａ  鏝板先端部
７ｂ  鏝板側端部
７ｃ  鏝板下端部
８  背金
９  柱脚
１０  握り柄
【図１】
0003114562.tif 000003
【図２】
0003114562.tif 000004
【図３】
0003114562.tif 000005
【図４】
0003114562.tif 000006
【図５】
0003114562.tif 000007